(57)【要約】
【課題】ルームエアコンなどの送風機によって風を当てることにより回転する、風力回転式の花器を提供する。
【解決手段】回動継手１０の上端側の係止フック１１は天井に設けた吊下げ金具に係止され、回動継手１０の下端側の係止フック１２に花器２０が吊下げ具２１により吊下されている。花器２０には、その側面外周に複数の羽根２２が放射状に配列して取り付けてあり、この羽根２２に向けて風を当てることにより、花器２０は風の力により回転する。回動継手１０は、内部にスラスト軸受が設けられ一端と他端が回転自在に軸支されており、この実施例では上端側の係止フック１１が天井に係着されかつ下端側の係止フック１２に花器が係着されているので、下端側の係止フック１２に係着した花器は、風を受けると自由に回転する。
【選択図】図１
0003098993.tif 000002
【実用新案登録請求の範囲】
【請求項１】
　上端側と下端側とにそれぞれ係止フックを備えた回動継手と、該回動継手の下端側の係止フックに係止した花器と、該花器の側面外周に放射状に取り付けた複数の羽根とからなる室内用の回転式花器であって、前記回動継手の上端側フックを天井等に係止して該花器を吊下し、かつ、前記羽根に送風機によって風を当てることにより花器を回転させることを特徴とする、風力回転式花器。
【請求項２】
　上端側と下端側とにそれぞれ係止フックを備えた回動継手と、該回動継手の下端側の係止フックに係止した花器と、該花器の下部に取り付けた羽根車とからなる室内用の回転式花器であって、前記回動継手の上端側フックを天井等に係止して該花器を吊下し、かつ、前記羽根車に送風機によって風を当てることにより花器を回転させることを特徴とする、風力回転式花器。
【請求項３】
　前記送風機は、家庭用室内除湿機の送風、又はファンヒータの送風、又はルームエアコンの送風、又は家庭用布団乾燥機の送風のいずれかを利用したものであることを特徴とする、請求項１又は２に記載の風力回転式花器。
【請求項４】
　請求項１記載の回動継手は、円柱状中空ケースと、該円柱状中空ケースの軸方向の一端側と他端側とにそれぞれ設けた係止フックと、該円柱状中空ケースの内部に取り付けたスラスト軸受とからなる継手であって、スラスト軸受のアウターレースを一端側の係止フックに接続しかつ円柱状中空ケースの内部に固着するとともに、スラスト軸受のインナーレースを他端側の係止フックに接続したものであることを特徴とする回動継手。
【請求項５】
　請求項４記載の回動継手の一端側の係止フック又は他端側の係止フックのいずれかに羽根車を取り付けたことを特徴とする、風力回転式の回動継手。
【請求項６】
　請求項５記載の回動継手の羽根車を取り付けた側の係止フックに花器を吊下し、かつ、前記羽根車に送風機によって風を当てることにより花器を回転させることを特徴とする、風力回転式花器。
【考案の詳細な説明】
【考案の詳細な説明】
【技術分野】
【０００１】　本考案は、送風機によって回転させる風力回転式の花器に関するものである。
【背景技術】
【０００２】　室内において生花や造花を花器に入れて鑑賞することが行なわれているが、従来、花をいけた花器は室内に静置されるのが通常であった。一方、百貨店のショーウィンドウなどでは、客の注意を引きつけ楽しませるために、展示物や装飾物を回転させて展示することが行なわれている。このような場合、展示物や装飾物を回転させるためには、モーター駆動による回転台などが必要であった。
【考案が解決しようとする課題】
【０００３】　本考案の風力回転式花器は、上述の事情に鑑みてなされたもので、家庭や喫茶店、ショールームなどにおいて、モーター駆動による回転台を必要とせず、ルームエアコンなどの送風機によって風を当てることにより回転する、風力回転式の花器を提供することを目的とする。
【課題を解決するための手段】
【０００４】　本考案の請求項１に記載の風力回転式花器は、上端側と下端側とにそれぞれ係止フックを備えた回動継手と、該回動継手の下端側の係止フックに係止した花器と、該花器の側面外周に放射状に取り付けた複数の羽根とからなる室内用の回転式花器であって、前記回動継手の上端側フックを天井等に係止して該花器を吊下し、かつ、前記羽根に送風機によって風を当てることにより花器を回転させることを特徴とするものである。
【０００５】　請求項２に記載の風力回転式花器は、上端側と下端側とにそれぞれ係止フックを備えた回動継手と、該回動継手の下端側の係止フックに係止した花器と、該花器の下部に取り付けた羽根車とからなる室内用の回転式花器であって、前記回動継手の上端側フックを天井等に係止して該花器を吊下し、かつ、前記羽根車に送風機によって風を当てることにより花器を回転させることを特徴とするものである。
【０００６】　請求項３に記載の送風機は、家庭用室内除湿機の送風、又はファンヒータの送風、又はルームエアコンの送風、又は家庭用布団乾燥機の送風のいずれかを利用したものであることを特徴とするものである。
【０００７】　請求項４に記載の回動継手は、円柱状中空ケースと、該円柱状中空ケースの軸方向の一端側と他端側とにそれぞれ設けた係止フックと、該円柱状中空ケースの内部に取り付けたスラスト軸受とからなる継手であって、スラスト軸受のアウターレースを一端側の係止フックに接続しかつ円柱状中空ケースの内部に固着するとともに、スラスト軸受のインナーレースを他端側の係止フックに接続したことを特徴とするものである。
【０００８】　請求項５に記載の回動継手は、一端側の係止フック又は他端側の係止フックのいずれかに羽根車を取り付けたことを特徴とするものである。
【０００９】　請求項６に記載の風力回転式花器は、回動継手の羽根車を取り付けた側の係止フックに花器を吊下し、かつ、前記羽根車に送風機によって風を当てることにより花器を回転させることを特徴とするものである。
【考案を実施するための最良の形態】
【００１０】　本考案の実施の形態を、代表的な実施例に基づいて図面を用いて説明する。
図１は、本考案の第１実施例の風力回転式花器を示す斜視図である。図１に示すように、回動継手１０の上端側の係止フック１１は天井に設けた吊下げ金具３１にＳ字フック３２を介して係止され、回動継手１０の下端側の係止フック１２に花器２０が吊下げ具２１により吊下されている。花器２０には、その側面外周に８枚の羽根２２が放射状に配列して取り付けてあり、この羽根２２に向けて送風機からの風を当てることにより、花器２０は風の力により回転する。回動継手１０は、内部にスラスト軸受が設けられ一端と他端が回転自在に軸支されており、この実施例では上端側の係止フック１１が天井に係止されかつ下端側の係止フック１２に花器２０が係止されているので、下端側の係止フック１２に係止した花器２０は羽根２２に風を受けると自由に回転する。花器２０の羽根２２に風を送る送風機として、家庭用室内除湿機、ファンヒータ、ルームエアコン、又は家庭用布団乾燥機のいずれを利用してもよい。このとき、送風機と花器２０との相対的な位置関係を調整し、花器２０がよく回転するように風を当てることが望ましい。例えば、送風機として壁掛け型のルームエアコンを使用したときは、その送風口近辺に位置するように花器２０の高さを調整し、かつ、送風が花器２０の側面に均一に当たるのではなく側面の右半分又は左半分のいずれかによく当たるように位置調整する。本実施例では、図１に示すように回動継手１０の上端側の係止フック１１は天井に設けた吊下げ金具３１にＳ字フック３２を介して係止されているが、必ずしも天井から吊り下げ、また吊下げ金具３１やＳ字フック３２を用いる必要はなく、これに代わる方法で回動継手１０の上端側の係止フック１１を天井や壁などに係止し、花器２０の羽根２２がルームエアコンからの送風を受けることができればよい。また、ルームエアコンの風向ルーバーを上下左右にスイングさせることにより、花器２０の羽根２２に当たる風の向きや強弱が変化し、花器２０の回転に変化を持たせることができる。花器２０は、吊り鉢型のプランタに生花又は造花を飾りつけたものである。また、本実施例では、花器２０の側面外周に８枚の羽根２２が放射状に取り付けられているが、羽根２２の枚数は８枚に限定されるものではなく、その形状によって効率良く風を受け花器を回転させることができるものであればよい。【００１１】　図２は、本考案の第２実施例の風力回転式花器を示す斜視図である。図２に示すように、回動継手１０の上端側の係止フック１１は天井に設けた吊下げ金具３１にＳ字フック３２を介して係止され、回動継手１０の下端側の係止フック１２に花器２０が吊下げ具２１により吊下されている。花器２０には、その下部に羽根車２３が取り付けてあり、この羽根車２３に向けて送風機からの風を当てることにより、羽根車２３は風の力により回転すると共に花器２０も回転する。図３Ｂは、花器２０の下部に取り付ける羽根車２３の斜視図である。羽根車２３は、８枚のラッパ状の羽根を各開口が犬きくなるように斜めにカットし回転軸を中心に放射状に設けたもので、羽根をこのようなラッパ状にしたことにより風をしっかりと受け止めるので、強い回転力を得ることができる。羽根車２３を花器２０の下部に取り付けるときは、花器２０の回転軸と羽根車２３の回転軸を一致するようにして、ネジ止又は接着剤による接着などの方法で固着する。【００１２】　図３Ａは、本考案の回動継手の構造を示すケース部の断面図である。図３Ａに示すように、回動継手１０は、円柱状中空ケース１３の内部にスラスト軸受１４が取り付けられ、スラスト軸受１４のアウターレース１５は円柱状中空ケース１３の内部に固着され、円柱状中空ケース１３の軸方向の一端側と他端側とにそれぞれ係止フック１１，１２が設けられ、一端側（上端側）の係止フック１１は円柱状中空ケース１３に固着され、他端側（下端側）の係止フック１２はスラスト軸受１４のインナーレース１６にネジ止して接続してある。本考案の回動継手は、このように構成したことにより、一端側又は他端側の係止フックの何れか一方を天井等に係止し、他方に風により回転する花器などの被回転体を係止することにより、花器などの重い被回転体であっても回転を妨げることなくその回転をスムースに維持させるという作用効果を奏する。【００１３】　図４は、本考案の第３実施例の風力回転式花器であって、羽根車を取り付けた回動継手に花器を吊下した状態を示す斜視図である。図４に示すように、回動継手１０の上端側の係止フック１２を天井に係止し、回動継手１０の下端側の係止フック１１に羽根車１６を取り付けると共に花器２０を係止して吊下してある。この状態で羽根車１６に風を当てると、羽根車１６は風を受けて回転し、係止フック１１に吊下した花器２０を回転させる。図３Ｂは羽根車１７の構造を示す斜視図であり、図３Ｃはその羽根車１７を回動継手１０の下端側の係止フック１１に取り付けた状態を示す正面図である。図２〜４に示した羽根車１７，２３は、８枚のラッパ状の羽根を回転軸を中心に放射状に設けたものであるが、羽根の枚数及び形状はこれに限定されるものではなく、効率良く風を受け花器を回転させることができるものであればよい。【００１４】　前記第３実施例では、羽根車を取り付けた回動継手に花器を吊下した風力回転式花器を紹介したが、回動継手には花器以外のものを吊下して風力回転させることもできる。例えば、放射状に突き出た複数のアームを備えた物干しハンガーを本考案の回動継手又は羽根車を取り付けた回動継手に吊下し、そのアームに洗濯物を掛け、送風機により羽根車と洗濯物に風を当てることによって洗濯物を回転させ、室内で効率的に洗濯物を乾燥させることができる。また、赤ちゃん用の回転オルゴールやメリーゴーラウンド、回転モビールおもちゃなどを吊るして回転させ楽しむことができる。
【考案の効果】
【００１５】　以上述べたとおり本考案によれば、家庭や喫茶店、ショールームなどにおいて、モーターなどの特別な回転駆動機を必要とせず、ルームエアコンなどの送風機によって風を当てることにより花器を回転させることができる。また、回動継手にスラスト軸受を用いたことにより、花器などの重い被回転体であっても回転を妨げることなくその回転をスムースに維持させることができる。また、回動継手に洗濯物を掛けた物干しハンガーを吊下げて風力回転させることにより、室内で効率的に洗濯物を乾燥させることができる。さらに、花器や洗濯物以外に、赤ちゃん用の回転オルゴールやメリーゴーラウンド、回転モビールおもちゃなどを吊るして回転させ楽しむことができる。
【図面の簡単な説明】
【図１】　第１実施例の風力回転式花器を示す斜視図である。
【図２】　第２実施例の風力回転式花器を示す斜視図である。
【図３】　回動継手の内部構造を示すケース部断面図（Ａ）、羽根車の構造を示す斜視図（Ｂ）、羽根車を取り付けた回動継手の構造を示す正面図（Ｃ）である。
【図４】　第３実施例の風力回転式花器を示す斜視図である。
【符号の説明】
　１０・・回動継手
　１１・・回動継手１０の一端側（上端側又は下端側）の係止フック
　１２・・回動継手１０の他端側（下端側又は上端側）の係止フック
　１３・・回動継手１０のケース
　１４・・スラスト軸受
　１５・・スラスト軸受１４のアウターレース
　１６・・スラスト軸受１４のインナーレース
　１７・・係止フックに取り付けた羽根車
　２０・・花器
　２１・・花器２０の吊下げ具
　２２・・花器２０の側面外周に取り付けた羽根
　２３・・花器２０の下部に取り付けた羽根車
　３０・・天井
　３１・・天井に設けた吊下げ具
　３２・・Ｓ字フック
【図１】
0003098993.tif 000003
【図２】
0003098993.tif 000004
【図３】
0003098993.tif 000005
【図４】
0003098993.tif 000006